(57)【要約】【課題】個々のケーブルの形状を任意に変形させることができ、ケーブルの配線位置を自由に調整することができるケーブル位置調整部材を提供することを目的とする。【解決手段】ケーブル位置調整部材１は、ケーブルに巻き付いてその任意に変形させて保持する巻線部２と、巻線部２の一端側に設けられて巻線部２を他の部材に固定する第１固定手段３と、巻線部２の他端側に設けられて該巻線部２を前記ケーブルに固定する第２固定手段４とを備え、該ケーブルの配線位置を自由に調整する。【選択図】図１
2008141884.tif 000002
【特許請求の範囲】
【請求項１】
ケーブルの配線位置を調整するケーブル位置調整部材であって、
前記ケーブルに巻き付いて該ケーブルを任意に変形させて保持する巻線部と、
前記巻線部の両端に設けられてその両端部を前記ケーブル又は他の部材に固定する固定手段と
を備えることを特徴とするケーブル位置調整部材。
【請求項２】
請求項１記載のケーブル位置調整部材において、
前記巻線部は、金属線材をコーティング部材で被覆したものであって、任意の形に変形されてその形状が保持されることを特徴とするケーブル位置調整部材。
【請求項３】
請求項１又は２記載のケーブル位置調整部材において、
前記固定手段は、前記巻線部の一端側に設けられて該巻線部を他の部材に固定する第１固定手段と、該巻線部の他端側に設けられて該巻線部を前記ケーブルに固定する第２固定手段と
を備えることを特徴とするケーブル位置調整部材。
【請求項４】
請求項３記載のケーブル位置調整部材において、
前記第１固定手段は、前記巻線部の一端側に延長して設けられて、他の部材の全部又は一部に巻き付く巻付端部と、該巻付端部の巻き付け部位を固定するクリップ部材とを備えることを特徴とするケーブル位置調整部材。
【請求項５】
請求項４記載のケーブル位置調整部材において、
前記第１固定手段は、前記巻付端部に所定間隔で設けられた瘤状の凸部と、該凸部と係合するリング状の係合部とを備え、
前記クリップ部材は、前記凸部が係合した前記係合部を固定することを特徴とするケーブル位置調整部材。
【請求項６】
請求項２乃至５のいずれか１項記載のケーブル位置調整部材において、
前記第２固定手段は、前記ケーブルを挟持する挟持手段を備えることを特徴とするケーブル位置調整部材。
【発明の詳細な説明】
【技術分野】
【０００１】
本発明は、例えば、電柱等に支持されたケーブル等の配線位置を調整する配線位置調整部材に関する。
【背景技術】
【０００２】
送電線から建造物に電力を供給する引込線等のケーブルは、最寄の電柱や引込柱に適度な弛みを持って支持されている。かかるケーブルは、最寄の電柱等の本数によっては多数のケーブルが一つの電柱等に集中して支持される場合があり、このような場合には、ケーブル同士が近接する。そして、強風や大型鳥類の飛来などによってケーブルの形状が変化すると、ケーブル同士が接触し、その摩擦によってケーブルの被覆が摩耗する虞がある。
【０００３】
このようなケーブル同士の接触を回避するものとして、各ケーブル及び各ケーブルの接続部分同士を離間するスペーサをケーブルに取り付けてなるものが知られている（例えば、特許文献１参照）。
【特許文献１】特開２００４−１８７４４７号公報
【発明の開示】
【発明が解決しようとする課題】
【０００４】
しかしながら、ケーブルにスペーサを取り付けた場合には、スペーサによって離間できるケーブルの数には限りがあるため、全てのケーブルをスペーサで離間できない場合がある。また、スペーサでは、ケーブルを離間する位置が決まってしまうため、ケーブルの接続部分等の特定の部位を離間させることはできても、スペーサから離れたところでケーブル同士が接触してしまう。
【０００５】
そこで、本発明は、個々のケーブルの形状を任意に変形させることができ、ケーブルの配線位置を自由に調整することができるケーブル位置調整部材を提供することを目的とする。
【課題を解決するための手段】
【０００６】
本発明は、ケーブルの配線位置を調整するケーブル位置調整部材であって、前記ケーブルに巻き付いて該ケーブルを任意に変形させて保持する巻線部と、前記巻線部の両端に設けられてその両端部を前記ケーブル又は他の部材に固定する固定手段とを備えることを特徴とする。
【０００７】
本発明のケーブル位置調整部材によれば、巻線部がケーブルに巻き付いて、その形状を任意に変形させることができると共に、その変形した形状を保持させることができる。そして、巻線部の両端部は、固定手段によって巻線部が巻き付いたケーブル又は他の部材に固定される。これにより、個々のケーブルの形状を任意に変形させて、ケーブルの配線位置を自由に調整することができる。さらには、その調整位置を固定手段によって確実に固定することができる。
【０００８】
前記巻線部は、金属線材をコーティング部材で被覆したものであって、任意の形に変形されてその形状が保持されることが好ましい。これにより、かかる巻線部をケーブルに巻き付けてケーブルを変形させることにより、又は、変形させたケーブルに巻線部を巻き付けること等により、ケーブルの形状を任意に変形させて保持させることができる。また、かかる巻線部が巻き付けられたケーブルは、該ケーブルの外周が巻線部によって部分的に突出した構造となる。そのため、仮に、ケーブルが他のケーブルや部材と接触しても、ケーブル自体が他のケーブル等と直接に擦れ合って摩耗することがなく、ケーブル自体の耐久性を向上させることができる。
【０００９】
前記固定手段は、前記巻線部の一端側に設けられて該巻線部を他の部材に固定する第１固定手段と、該巻線部の他端側に設けられて該巻線部を前記ケーブルに固定する第２固定手段とを備えることが望ましい。これにより、ケーブルに巻き付いた巻線部は、第１固定手段によって、その一端側を該ケーブル以外の部材に固定させて、他のケーブルの離間間隔を採ることができる。さらに、第２固定手段によって、他端側を該ケーブルに固定させることができ、ケーブルに対する巻線部の巻き付け位置がずれてしまうこと等を防止して、巻線部をケーブルに確実に固定することができる。
【００１０】
前記第１固定手段は、前記巻線部の一端側に延長して設けられて、他の部材の全部又は一部に巻き付く巻付端部と、該巻付端部の巻き付け部位を固定するクリップ部材とを備えることが望ましい。これにより、他の部材に固定される第１固定手段の構成を簡易に実現することできる。
【００１１】
前記第１固定手段は、前記巻付端部に所定間隔で設けられた瘤状の凸部と、該凸部と係合するリング状の係合部とを備え、前記クリップ部材は、前記凸部が係合した前記係合部を固定することが好ましい。他の部材の全部又は一部に巻き付いた巻付端部は、瘤状の凸部とリング状の係合部とが係合して固定されると共に、その係合部位が、さらにクリップ部材によって固定される。そのため、ケーブルに巻き付いた巻線部の一端を他の部材に確実に固定することができる。
【００１２】
前記第２固定手段は、前記ケーブルを挟持する挟持手段を備えることが好ましい。これにより、ケーブルに巻き付いた巻線部の他端側を該ケーブルに固定する構成を簡易に実現することができる。
【発明を実施するための最良の形態】
【００１３】
図１に示すように、本実施形態のケーブル位置調整部材１は、ケーブルに巻き付いて、その配線位置を調整する部材であって、ケーブルに巻き付く巻線部２と、巻線部２の一端側に設けられた第１固定手段３と、巻線部２の他端側に設けられた第２固定手段４とを備える。
【００１４】
巻線部２は、所定の応力で変形して、変形後の形状が保持される金属線材（図示省略）と、金属線材の周りを被覆するゴム製のコーティング材から成り、コーティング材で金属線材は露出する部分なく被覆されている。
【００１５】
第１固定手段３は、巻線部２から延設された巻付端部３１と、巻付端部３１が他の部材に巻き付いたときに、その巻き付いた部位を固定するクリップ部材３２とを備える。巻付端部３１には、その径が一部大径となった瘤状の凸部３３が、所定の間隔で複数設けられている。また、巻付端部３１と巻線部２との間には、前後する一組の凸部３３，３３の間に係合するリング状の係合部３４が設けられている。
【００１６】
クリップ部材３２は、耐腐食性及び耐侵食性を有する合成樹脂性の部材から成り、箱型の内部に巻付端部３１が挿通する挿通孔３５が形成されている。挿通孔３５は、凸部３３に係合した係合部３４を嵌め込んで保持する。
【００１７】
第２固定手段４は、例えば、ケーブルを挟持することができる挟持手段であって、Ｃ型のアーム部４１と、アーム部４１の一部を切欠いた部分に設けられたストッパー４２とを備える。また、第２固定手段４は、巻線部２の他端側に設けられたジョイント部２１にねじ止めされて、巻線部２に着脱自在に取り付けられる。
【００１８】
アーム部４１及びストッパー４２は、クリップ部材３２と同様、耐腐食性及び耐侵食性を有する合成樹脂性の部材から成り、その内径が取り付けられるケーブルの外径とほぼ等しい。ストッパー４２は、アーム部４１のジョイント部２１側の位置に軸着されて、その内部構造により内径を越える外方への動きが規制されるようになっている。
【００１９】
次に、上記ケーブル位置調整部材１の使用方法について説明する。
【００２０】
図２に示すように、ケーブル位置調整部材１は、例えば、送電線から建造物に電力を供給する引込線（ＤＶ線とも言う）等のケーブルＸに巻き付けられて、そのケーブルＸを任意に変形させ、ケーブルＸの配線位置を調整することに用いられる。
【００２１】
具体的に、ケーブル位置調整部材１によるケーブルＸの配線位置の調整をする場合、当該調整を行う作業者は、まず、ケーブルＸを支持するために電柱Ｚに取り付けられた他の部材としての碍子（例えば、エンドレス碍子やＤＶ碍子）Ｙに、ケーブル位置調整部材１の第１固定手段３を固定する。
【００２２】
第１固定手段３の碍子Ｙへの固定は、巻付端部３１を碍子Ｙのケーブル引留部Ｙ１に巻き付けて、巻付端部３１をリング状の係合部３４に通して、巻付端部３１の端部を引いてケーブル引留部Ｙ１に巻付端部３１を締め付けることにより行う。このとき、複数の凸部３３の中で、締め付けた位置で相前後する一組の凸部３３，３３の間に係合部３４が係合する。さらに、この係合部３４をクリップ部材３２の挿通孔３５に嵌め込むことで、その係合位置が保持される。これにより、第１固定手段３の他の部材への固定を確実なものとすることができる。
【００２３】
次に、作業者は、巻線部２を第１固定手段３側からケーブルＸに巻き付けていく。そして、巻線部２を巻き付けたケーブルＸを任意に変形させて、ケーブルの配線位置を調整する。このとき、巻線部２が巻き付けられたケーブルＸは、形状を一度変形させると、巻線部２がその形状を保持するように機能する。これにより、碍子Ｙに支持される複数のケーブル同士が互いに接触することを回避するように、その形状を任意に変化させて保持することができる。また、ケーブルＸの外周が巻線部２によって部分的に突出した構造となるため、仮に、ケーブルＸが他のケーブルや部材と接触しても、ケーブルＸが他のケーブル等と直接に擦れ合って摩耗することがなく、ケーブル自体の耐久性を向上させることができる。
【００２４】
最後に、作業者は、巻線部２の他端部に設けられた第２固定手段４をケーブルＸに固定する。具体的には、第２固定手段４のストッパー４２の部分からケーブルＸをアーム部４１の内方に押し込む。アーム部４１にケーブルＸが完全に押し込まれて挟持されると、ストッパー４２がアーム部４１側に戻って、その外方への動きが規制される。これにより、第２固定手段４をケーブルＸに確実に固定することができる。
【００２５】
ここで、ケーブルＸを挟持する第２固定手段４は、ジョイント部２１にねじ止めされているため、ケーブルＸの径の大きさに合ったアーム部４１を有する第２固定手段４を選択して用いることができ、太さが異なる種々のケーブルにケーブル位置調整部材１を固定することができる。
【００２６】
このように、本実施形態のケーブル位置調整部材１によれば、個々のケーブルＸに取り付けてその形状を任意に変形させ、ケーブルＸの配線位置を自由に調整することができる。また、ケーブルＸに巻き付いた巻線部２は、第１固定手段３によって、その一端側をケーブルＸ以外の部材に固定させて、該他の部材を軸にケーブルＸを他のケーブル等から離間させることができる。さらに、第２固定手段４によって、他端側をケーブルＸに固定させることができ、ケーブルＸに対して巻線部２の巻き付け位置がずれてしまうこと等を防止して、巻線部２をケーブルＸに確実に固定することができる。
【００２７】
尚、本実施形態において、ケーブル位置調整部材１は、引込線であるケーブルＸを中空で支持するエンドレス碍子やＤＶ碍子に固定する場合について説明したが、これに限定されるものではなく、図３に示すように、例えば、建造物等に設けられた多溝碍子Ｙ２等に第１固定手段３を固定して用いてもよい。この場合、ケーブル位置調整部材１により、多溝碍子Ｙ２に取り付けらえたケーブルＸの配線位置を調整することができ、ケーブルＸを他のケーブルや電線等から確実に離間させることができる。
【００２８】
また、本実施形態において、第１固定手段３は、他の部材に巻き付けて固定するために巻付端部３１とクリップ部材３２を備えたが、これに限定されるものではなく、図４に示すように、碍子Ｙの製造過程で、碍子Ｙの連結孔Ｙ３に巻線部２を形成するゴム製のコーティング材を流し込み、巻線部２と碍子Ｙが一体となるように構成してもよい。また、第１固定部材３の代わりに第２固定部材４を設けて、巻線部２の両端をケーブルＸに固定するようにしてもよい。この場合、ケーブル調整部材１を固定する他の部材が周囲に存在しなくても、ケーブルＸの任意の位置に巻線部２を巻き付けて、ケーブルＸの配線位置を自由に変更することができる。
【００２９】
さらに、本実施形態において、ケーブルＸには、電線や光ファイバー等の被覆体の他、電子機器等の内部に設けられたリード線等が含まれる。例えば、ケーブルＸがリード線の場合には、電子機器等の内部に加熱位置を迂回するようにリード線の配線位置を調整することにも用いることができる。
【図面の簡単な説明】
【００３０】
【図１】実施形態のケーブル位置調整部材の外観を示す斜視図。
【図２】実施形態のケーブル位置調整部材の使用状態を示す図。
【図３】実施形態のケーブル位置調整部材の他の使用状態を示す図。
【図４】図１に示すケーブル位置調整部材の変形例を示す図。
【符号の説明】
【００３１】
１…ケーブル位置調整部材、２…巻線部、３…第１固定手段、４…第２固定手段、３１…巻付端部、３２…クリップ部材、３３…凸部、３４…係合部、４２…アーム部（挟持手段）。
【図１】
2008141884.tif 000003
【図２】
2008141884.tif 000004
【図３】
2008141884.tif 000005
【図４】
2008141884.tif 000006